(57)【要約】【課題】たとえ外部から衝撃を受けても球誘導部材や一対の可動翼片が誤動作を起こさず、一対の可動翼片が常に正常に動作するようにした可変入賞装置を提供する。【解決手段】球誘導部材１１は前後方向に並びかつ該前後方向で自在に上下に回動するように横軸１２ａ，１２ｂ，１２ｃにより軸着される分割前部材１１ａと分割中部材１１ｂと分割後部材１１ｃとからなり、これらは互いに軸着して連結され、分割前部材１１ａと分割中部材１１ｂと分割後部材１１ｃの内のいずれかの横軸に、上部に重錘２９を取着しかつ前後方向で球誘導部材１１とは別個独立に回動する抑制部材２７を同軸上に軸着し、該抑制部材２７は、同軸上に軸着された分割前部材１１ａと分割中部材１１ｂと分割後部材１１ｃの内のいずれかと動作抑制手段２１により連係され、そのいずれかが前側又は後側へ傾倒したとき同様に同方向へ傾倒して球誘導部材１１を必要もなく動作させないようにした。【選択図】図６
2011092339.tif 000002
【特許請求の範囲】
【請求項１】
遊技盤面に取着される取付基板に遊技球が通過する球入口を開設し、前記取付基板の前面に前記球入口を挟み該取付基板を正面から見て起立または逆ハの字状に傾倒する一対の可動翼片を軸着し、前記取付基板の後面に前記球入口を囲うようにして箱枠を固定し、前記箱枠内に遊技球の入賞と共に作動して前記可動翼片を起立または逆ハの字状に傾倒させる球誘導部材が配置される可変入賞装置であって、
前記球誘導部材は前記取付基板を正面から見て前後方向に並びかつ該前後方向で自在に上下に回動するように横軸により軸着される分割前部材と分割中部材と分割後部材とからなり、前記分割前部材と分割中部材と分割後部材とは互いに軸着して連結され、
前記分割前部材と分割中部材と分割後部材の内のいずれかの横軸に、上部に重錘を取着しかつ前記前後方向で前記球誘導部材とは別個独立に回動する抑制部材を同軸上に軸着し、
前記抑制部材は、同軸上に軸着された前記分割前部材と分割中部材と分割後部材の内のいずれかと動作抑制手段により連係され、そのいずれかが前側へ傾倒したとき同様に前側へ傾倒しかつ後側へ傾倒したとき同様に後側へ傾倒して前記球誘導部材を必要もなく動作させないようにしたことを特徴とする可変入賞装置。
【発明の詳細な説明】
【技術分野】
【０００１】
本発明は、遊技盤面に装着され、起立または逆ハの字状に傾倒して遊技球の入賞する機会を変化させる一対の可動翼片を備えた可変入賞装置に関するものである。
【背景技術】
【０００２】
従来、例えば遊技機の一種であるパチンコ遊技機にあっては、遊技盤面に装着される取付基板の前面に該遊技盤面を流下する遊技球が入賞することにより、一対の可動翼片が起立または逆ハの字状に傾倒して遊技球の入賞する機会を変化させるようにした可変入賞装置が装着されている。該可変入賞装置の構成を更に詳しく説明すると、該可変入賞装置は、遊技盤面に取着される取付基板に遊技球が通過する球入口を開設すると共に該取付基板の前面に該球入口を囲うようにして上面が開放されるポケットカバーを取着し、該ポケットカバー内に前記球入口の両側に位置して一対の可動翼片を軸着している。この一対の可動翼片は、常にその自重で外側へ回動するように付勢されている。また、前記取付基板の後面に前記球入口を囲うようにして箱枠が固定され、該箱枠内に横軸により軸着され前記取付基板を正面から見て前後方向で前端が上下に回動する球誘導部材が配置される。該球誘導部材は、その前端が下方に回動して前記一対の可動翼片の下部間に介入することにより両可動翼片を起立させる。また、その前端を上方に回動させることにより球誘導部材の先端を両可動翼片の下部上面に乗せ、前記一対の可動翼片を自由にして逆ハの字状に傾動させるようにしている（例えば、特許文献１参照。）。
【０００３】
そして、一対の可動翼片が共に起立している状態で、両可動翼片間に遊技球が入賞すると、該遊技球は球入口へ入り球誘導部材の上面を後方へ転動する。これに伴い、球誘導部材の後端が下方へ回動すると共に前端が上方へ回動する。そして、両可動翼片が球誘導部材の前端から開放され、互いに外側へ逆ハの字状に傾動する。逆に、逆ハの字状に傾動した両可動翼片間に遊技球が入賞すると、該遊技球により球誘導部材の前端を下方へ押し下げると共に両可動翼片を起立させる。これにより、起立した両可動翼片の下部が球誘導部材の前端により規制され、その状態を保持する。また、この起立した両可動翼片間に遊技球が入ると、前記と同様な動作を繰り返すことになる。
【先行技術文献】
【特許文献】
【０００４】
【特許文献１】特開平２−１０７２８２号公報（第２−４頁、図１、図２）
【発明の概要】
【発明が解決しようとする課題】
【０００５】
しかしながら、前記特許文献１に係る可変入賞装置にあっては、一対の可動翼片が常にその自重で外側へ回動するように付勢されているばかりか、特にその起立・傾倒動作が横軸により軸支された球誘導部材の前端との係合動作により行なわれる構成である。このため、例えばパチンコ機の前面を前側から叩いて可変入賞装置に外部から衝撃が加わると、一対の可動翼片と共に球誘導部材が踊って係合状態が不安定になる。そこで、例えば両可動翼片が起立している場合に、衝撃により球誘導部材の前端が上方へ跳ね上がると、これに伴い両可動翼片が必要もなく外側へ開いてしまったり、また、両可動翼片が逆ハの字状に傾動している場合に、衝撃により両可動翼片が閉じるように跳ね上がると、球誘導部材の前端が下方へ回動すると同時に両可動翼片がそのまま必要もなく閉じてしまうといった誤動作を起こすことがあった。このように、遊技球が入賞しないにも拘わらず、一対の可動翼片が誤動作を起こしてしまうということは、遊技者に不利益を与えてしまうばかりか不正行為も許すことになり、パチンコホールにとってマイナス要素となるという課題が有った。これは、球誘導部材が一体物として成形されしかも比較的軽く、容易に回動し易い構造になっていることに起因すると思われる。
【０００６】
そこで、本発明は上記課題を解決すべくなされたもので、たとえ外部から衝撃を受けても球誘導部材や一対の可動翼片が誤動作を起こさず、一対の可動翼片が常に正常に動作するようにした可変入賞装置を提供することを目的とするものである。
【課題を解決するための手段】
【０００７】
かかる目的を達成するため本発明の可変入賞装置は、遊技盤面に取着される取付基板に遊技球が通過する球入口を開設し、前記取付基板の前面に前記球入口を挟み該取付基板を正面から見て起立または逆ハの字状に傾倒する一対の可動翼片を軸着し、前記取付基板の後面に前記球入口を囲うようにして箱枠を固定し、前記箱枠内に遊技球の入賞と共に作動して前記可動翼片を起立または逆ハの字状に傾倒させる球誘導部材が配置される可変入賞装置であって、前記球誘導部材は前記取付基板を正面から見て前後方向に並びかつ該前後方向で自在に上下に回動するように横軸により軸着される分割前部材と分割中部材と分割後部材とからなり、前記分割前部材と分割中部材と分割後部材とは互いに軸着して連結され、前記分割前部材と分割中部材と分割後部材の内のいずれかの横軸に、上部に重錘を取着しかつ前記前後方向で前記球誘導部材とは別個独立に回動する抑制部材を同軸上に軸着し、前記抑制部材は、同軸上に軸着された前記分割前部材と分割中部材と分割後部材の内のいずれかと動作抑制手段により連係され、そのいずれかが前側へ傾倒したとき同様に前側へ傾倒しかつ後側へ傾倒したとき同様に後側へ傾倒して前記球誘導部材を必要もなく動作させないようにしたことを特徴とする。
【発明の効果】
【０００８】
本発明に係る可変入賞装置は、球誘導部材が取付基板を正面から見て前後方向に並びかつ該前後方向で自在に上下に回動するように横軸により軸着される分割前部材と分割中部材と分割後部材とからなり、分割前部材と分割中部材と分割後部材とは互いに軸着して連結され、分割前部材と分割中部材と分割後部材の内のいずれかの横軸に、上部に重錘を取着しかつ前後方向で球誘導部材とは別個独立に回動する抑制部材を同軸上に軸着し、該抑制部材は、同軸上に軸着された分割前部材と分割中部材と分割後部材の内のいずれかと動作抑制手段により連係された構成からなる。そして、抑制部材は、そのいずれかが前側へ傾倒したとき同様に前側へ傾倒しかつ後側へ傾倒したとき同様に後側へ傾倒するようにしている。このように、球誘導部材が三部材をそれぞれ軸着して連結し、また、抑制部材を設けているので、たとえ、可変入賞装置に外部から衝撃を受けても、分割された球誘導部材では力が分散されその伝播がうまく行なわれず、しかも、重錘の取着された抑制部材により球誘導部材が必要もなく動作しないように抑制されることになる。よって、外部からの衝撃により球誘導部材や一対の可動翼片が誤動作を起こすことがなく、一対の可動翼片が常に正常に動作し、パチンコホールにとって遊技者へのサービス向上に繋がるとともに不正行為防止にも役立つという有益な効果を奏する。
【図面の簡単な説明】
【０００９】
【図１】本発明に係る可変入賞装置の斜視図。
【図２】同正面図。
【図３】同平面図。
【図４】同側面図。
【図５】図３のＸ−Ｘ線断面図。
【図６】一対の可動翼片が閉じた状態の可変入賞装置の側面断面図。
【図７】一対の可動翼片が開いた状態の可変入賞装置の側面断面図。
【図８】球誘導部材の斜視図。
【図９】同分解斜視図。
【発明を実施するための形態】
【００１０】
以下、本発明に係る可変入賞装置の最良の実施の形態を図面に基づき詳しく説明する。本発明に係る可変入賞装置は、パチンコ機、アレパチ機、雀球遊技機等の遊技機に適用される。この内、パチンコ機に適用される場合について説明する。図１は本発明に係る可変入賞装置の斜視図、図２は同正面図、図３は同平面図、図４は同側面図、図５は図３のＸ―Ｘ線断面図である。
【００１１】
まず、本発明に係る可変入賞装置Ａは、後記する球誘導部材１１の後部に上方から遊技球としてのパチンコ球が落下することにより球誘導部材１１を作動させて後記する一対の可動翼片６ａ，６ｂを両側へ開きパチンコ球が入賞し易い状態とし、該開いた両可動翼片６ａ，６ｂ間にパチンコ球が入賞すると両可動翼片６ａ，６ｂを閉じるようにしたタイプのものである。よって、球誘導部材１１の上面をパチンコ球が転動することはない。可変入賞装置Ａは、パチンコ機（図示せず。）の遊技盤面に取り付けられる取付基板１を有し、該取付基板１の中央にパチンコ球が通過し得る縦長の球入口２が開設される。また、取付基板１の一側すなわち該取付基板１を正面から見て右肩上部に、前方へ突出する球受板３が設けられている。該球受板３は、後記するように球入口２へ流入するパチンコ球の球詰まりを防止するためのものである。また、球入口２の上縁に該球入口２の上部からパチンコ球が入るのを防ぐ邪魔棒１ａが垂設されている。
【００１２】
前記取付基板１の前面には、前記球入口２の前方と両側方と下方を囲い上方が開放されるポケットカバー４が取り付けられている。該ポケットカバー４であって周囲より高く形成された前板４ａの後面上部に、球入口２の両側面と対向位置して後方へ水平に延設される支持軸５，５が設けられ、両支持軸５，５に一対の可動翼片６ａ，６ｂが軸支される。各可動翼片６ａ，６ｂは、後端面が開放する中空状に形成されると共に常に自重で外側へ回動するように付勢されている。そして、球誘導部材１１の前端が下方へ回動することにより、両可動翼片６ａ，６ｂを起立させると共にその下部間に介在して外側への回動動作を規制し、パチンコ球が入賞し難い起立状態、または、球誘導部材１１の前端の上方への回動動作に伴い自由となってパチンコ球が入賞し易い逆ハの字状に傾動した状態とに変換できるようになっている。各可動翼片６ａ，６ｂは、外側へ傾倒したとき共にポケットカバー４の側壁上端に設けられた止板７に当接して停止するようになっている。ポケットカバー４の内底面は後方へ下傾し、その後端が球入口２を挟んで後記する排出樋３１に連通している。
【００１３】
前記両可動翼片６ａ，６ｂの内、取付基板１を正面から見て右側の可動翼片６ｂは、前記球受板３に対応位置して後端縁が切り欠かれて凹窪部８が形成されている。これにより、可動翼片６ｂが支障なく起立または傾動できるようになっている。仮に、両可動翼片６ａ，６ｂが左右対称型に成形されかつ前記球受板３や邪魔棒１ａがないとしたら、逆ハの字状に傾動して開いた可動翼片６ａ，６ｂの上面に二個のパチンコ球が乗り、これらが球入口２へ同時に流入しようとした場合、二個のパチンコ球が互いにぶつかり合って両可動翼片６ａ，６ｂの上面で静止してしまい、球詰まりを起こす危険性がある。そこで、前記のように取付基板１の右肩上部に球入口２に近接させて球受板３を設け、前記二個のパチンコ球の内、一方のパチンコ球を該球受板３の上面に乗せることにより、可動翼片６ｂの上面に達する時間を他方のパチンコ球が可動翼片６ａの上面に達する時間よりも遅らせている。これにより、パチンコ球が球入口２へ順序良く流入することになり、球入口２での球詰まりが解消される。ちなみに、前記球受板３は対応する可動翼片６ｂの影となって正面からでは見えない。
【００１４】
前記取付基板１の後面には、球入口２を囲うようにして箱枠９が固定される。該箱枠９は、その後部一側にパチンコ球が通過し得る切欠開口１０が開設され、また、下面は開放している。そして、該箱枠９内に、パチンコ球の入賞と共に作動して前記両可動翼片６ａ，６ｂを起立させる球誘導部材１１が配置される。該球誘導部材１１は、図６、図７に示すように前記取付基板１を正面から見て前後方向に沿って前端に位置する分割前部材１１ａと、中間に位置する分割中部材１１ｂと、後端に位置する分割後部材１１ｃと、の三部材からなっている。分割前・中・後部材１１ａ，１１ｂ，１１ｃは、いずれも箱枠９の両側壁９ａ間に横架される横軸１２ａ，１２ｂ，１２ｃにより軸支され、前記前後方向で前端が上下に回動するようになっている。前記分割前部材１１ａの横軸１２ａと分割中部材１１ｂの横軸１２ｂと分割後部材１１ｃの横軸１２ｃとは、それら高さが前側から後側へ進むに従い順に低くなるように配置される。
【００１５】
三部材に分割される前記球誘導部材１１を図８及び図９に基づき更に詳しく説明すると、分割前部材１１ａは、横軸１２ａが挿通される軸筒部１３の外周面の一側すなわち取付基板１側である前側に、前端が二股に分かれる二股状部１４が形成され、これら前端が両可動翼片６ａ，６ｂの下部間に介入したり、そこから脱っしたりする。この二股状部１４間の寸法は、パチンコ球が通過できる範囲で設定される。また、その下方に、軸筒部１３の外周面から前方へ直交状に伸びかつ二股状部１４の中間に位置する作用杆１５が配置される。二股状部１４間を流下したパチンコ球は、作用杆１５をその上面から下方へ押動して分割前部材１１ａを横軸１２ａを中心として前側へ回動させることになる。更に、軸筒部１３の外周面の他側すなわち箱枠９の後部側に、後方へ突出する腕片１６が設けられ、該腕片１６の先端に前記軸筒部１３の中心軸と平行な連結軸１７が一体に設けられる。該連結軸１７の両端間の寸法は、腕片１６の幅よりも長く設定されている。
【００１６】
分割中部材１１ｂは、平行な側面長円形状の一対の長円リング部１８ａ，１８ｂを備え、両長円リング部１８ａ，１８ｂ間であってそれら中央に断面四角柱状の軸筒部１９が一体に設けられる。よって、軸筒部１９の中心軸線と両長円リング部１８ａ，１８ｂは互いに直交することになる。この両長円リング部１８ａ，１８ｂの長円孔２０ａ，２０ｂの前端部に、前記分割前部材１１ａの連結軸１７が遊嵌される。また、一方の長円リンク部１８ａの側面に軸筒部１９を含めて切り欠き、後記する抑制部材２７が介入する動作抑制手段としての規制凹欠部２１が形成される。
【００１７】
分割後部材１１ｃは、横軸１２ｃが挿通される軸筒部２２の外周面の一側すなわち取付基板１側である前側に、前方へ突出する腕片２３が形成され、該腕片２３の前端に連結軸２４が一体に設けられる。該連結軸２４の両端間の寸法は、腕片２３の幅よりも長く設定されている。そして、該連結軸２４が前記分割中部材１１ｂの両長円リング部１８ａ，１８ｂにおける長円孔２０ａ，２０ｂの後端部に遊嵌される。軸筒部２２の外周面の他側すなわち箱枠９の後部側に、後方へ延び上方から落下するパチンコ球を受け止め側方へ排出する案内板２５が設けられる。該案内板２５の一側縁すなわち前記箱枠９の切欠開口１０とは反対側と、該案内板２５の後端縁とに、上方へ突出し案内板２５の上面を転動するパチンコ球がそれらの縁から下方へ落ちないように止めるガード片２６が形成される。これにより、案内板２５の上面に落下したパチンコ球はガード片２６のない一側縁から切欠開口１０を介して外部に排出されることになる。２５ａは、案内板２５の一側から外方へ突出させた連杆であり、例えば外部から分割後部材１１ｃを強制的に作動させる場合に使用されるものである。
【００１８】
最後に、前記分割中部材１１ｂの横軸１２ｂに同軸上に遊嵌される抑制部材２７について説明する。該抑制部材２７は、両可動翼片６ａ，６ｂや球誘導部材１１の誤動作を防止する主となる手段であって、直杆状の支持杆２８を有し、該支持杆２８の上端部に球誘導部材１１側へ突出する金属（真鍮）製かつほぼ円柱状の重錘２９がネジ止めにより取着される。また、前記支持杆２８の下端部に、横軸１２ｂに同軸上に遊嵌される軸支孔３０が開設されている。
【００１９】
前記取付基板１の後面であって箱枠９の下方に、前端が前記ポケットカバー４の内底面の後端と連通し、後端が開放される樋状の排出樋３１が配置される。該排出樋３１も底面が後方へ向かって下傾しており、前記ポケットカバー４の下部から排出されるパチンコ球を導き後方へ排出することになる。
【００２０】
このように構成される球誘導部材１１は、分割前部材１１ａの後端に分割中部材１１ｂの前端を軸着し、分割中部材１１ｂの後端に分割後部材１１ｃの前端を軸着した状態で、これら分割前・中・後部材１１ａ，１１ｂ，１１ｃの軸筒部１３，１９，２２にそれぞれ横軸１２ａ，１２ｂ，１２ｃを挿通する。これら横軸１２ａ，１２ｂ，１２ｃは、図３に示すように箱枠９の両側壁９ａ，９ａに開設された軸承孔３２，３２に挿通され、先端にＥリング３３を嵌めて固定される。また、同時に分割中部材１１ｂの横軸１２ｂを抑制部材２７の軸支孔３０に遊嵌する。これにより、箱枠９内に三部材からなる球誘導部材１１及び抑制部材２７が配置される。
【００２１】
球誘導部材１１の内の分割前部材１１ａは、前端が下方へ回動して前側へ下傾したとき、その前端の二股状部１４が両可動翼片６ａ，６ｂの下部間に介入して両可動翼片６ａ，６ｂを起立させ、その状態を維持させる。一方、分割前部材１１ａは、前端が上方へ回動して後側へ下傾したとき、その前端の二股状部１４が上動すると共に作用杆１５が両可動翼片６ａ，６ｂ間の下方に位置する。そして、両可動翼片６ａ，６ｂはその自重で外側へ傾倒して取付基板１を正面から見て逆ハの字状に開くことになる。
【００２２】
前記分割前部材１１ａがその前端を下方へ回動して前側へ下傾したとき、後側の分割中部材１１ｂはその前端を上方へ回動して後側へ下傾する。これに伴い、該分割中部材１１ｂの横軸１２ｂに遊嵌され規制凹欠部２１内に位置する抑制部材２７は、球誘導部材１１とは別個独立して動作するものの、分割中部材１１ｂが後側に下傾する状態では規制凹欠部２１内の前側壁面２１ａに押され後側へ回動し、その後、箱枠９の両側壁９ａ，９ａ間に差し渡された停止杆３４に当接して後側へ傾いたまま停止している。一方、前記分割前部材１１ａがその前端を上方へ回動して後側へ下傾したとき、その後側の分割中部材１１ｂはその前端を下方へ回動して前側へ下傾する。これに伴い、該分割中部材１１ｂの横軸１２ｂに遊嵌され規制凹欠部２１内に位置する抑制部材２７は、分割中部材１１ｂが前側に下傾する状態では規制凹欠部２１内の後側壁面２１ｂに押され前側へ回動し、その後、取付基板１の後面に当接して前側へ傾いたまま停止している。よって、両可動翼片６ａ，６ｂが起立していても逆ハの字状に傾動していても、抑制部材２７の重錘２９の荷重により分割中部材１１ｂすなわち球誘導部材１１の必要のない動作が抑制されることになる。ただし、重錘２９の荷重の大きさは、パチンコ球が両可動翼片６ａ，６ｂ間に入賞して、球誘導部材１１の正常な動作を阻害する範囲外で設定される。
【００２３】
本発明に係る可変入賞装置Ａは上記構成からなり、次にその作用を説明する。図５鎖線及び図６に示すように両可動翼片６ａ，６ｂが起立している閉じた状態では、球誘導部材１１における分割前部材１１ａの前端が下方へ回動して前側へ下傾し、先端の二股状部１４が両可動翼片６ａ，６ｂの下部間に介入している。このとき、分割中部材１１ｂは後側へ下傾すると共に分割後部材１１ｃは前側へ下傾している。また、抑制部材２７は分割中部材１１ｂの規制凹欠部２１の前側壁面２１ａに押されて後側へ回動し箱枠９の両側壁９ａ，９ａ間の停止杆３４に当接して後側へ傾いたまま停止している。そこで、この状態で外部から衝撃を受けても、球誘導部材１１は三分割され互いに軸着して連結されているので、力が分散されその伝播がうまく行なわれず、しかも、抑制部材２７の重錘２９により分割中部材１１ｂが一側すなわち後側へ回動するように付勢されているので、各分割前・中・後部材１１ａ，１１ｂ，１１ｃはその動作が抑制されてほとんど動きが取れない状態となり、必要もなく勝手に回動することがない。これにより、球誘導部材１１の誤動作が防止される。
【００２４】
また、両可動翼片６ａ，６ｂが起立して閉じた状態で、図６に示すように球誘導部材１１の後部すなわち分割後部材１１ｃ上面にその上方からパチンコ球Ｂ１が落下すると、分割後部材１１ｃの後端が下方へ回動すると共に後側へ下傾する。これに伴い、分割中部材１１ｂは前側へ下傾すると共に分割前部材１１ａは前端が上方へ回動して後側へ下傾する。これにより、図５実線及び図７に示すように両可動翼片６ａ，６ｂは自由になって外側へ逆ハの字状に傾動して開く。ちなみに、前記分割後部材１１ｃの案内板２５の上面に落下したパチンコ球Ｂ１は、切欠開口１０を介して外部へ排出される。また、抑制部材２７は分割中部材１１ｂの前側への下傾動作と共に、規制凹欠部２１内の後側壁面２１ｂに押されて前側へ傾き、取付基板１の後面に当接して停止する。このように、両可動翼片６ａ，６ｂが開いた状態でも、抑制部材２７が前側へ傾むいたままとなって、分割中部材１１ｂが一側すなわち前側へ回動するように付勢されているので、分割中部材１１ｂすなわち球誘導部材１１の動作が抑制され、ほとんど動きが取れない状態となり、必要もなく勝手に回動することがない。よって、この場合も、球誘導部材１１の誤動作が防止される。開いた両可動翼片６ａ，６ｂ間に入賞したパチンコ球Ｂ２は、図７に示すように、ポケットカバー４の下部から排出樋３１に流下して外部へ排出される。
【００２５】
本発明にあっては、球誘導部材１１をその後部にパチンコ球を落下させ入賞させて、一対の可動翼片６ａ，６ｂを開き、該開いた両可動翼片６ａ，６ｂ間にパチンコ球が入賞することにより両可動翼片６ａ，６ｂを閉じるようにしたタイプの可変入賞装置Ａについて説明したが、通常の閉じた両可動翼片間にパチンコ球が入賞すると、該パチンコ球が球誘導部材の上面を後方へ転動し該球誘導部材が後側へ傾いて両可動翼片が開き、該開いた可動翼片間にパチンコ球が入賞すると、該パチンコ球が下方へ流下して球誘導部材が前側へ傾いて両可動翼片を起立させて閉じさせるタイプの可変入賞装置にも適用できることは勿論である。また、抑制部材２７を作動させる動作抑制手段を規制凹欠部２１として分割中部材１１ｂに設けるようにしたが、逆に、抑制部材２７側に動作抑制手段としての凹部を設け、分割中部材１１ｂ側にも動作抑制手段として前記凹部に遊嵌しその中を摺動する凸部を設けるようにしても良い。
【符号の説明】
【００２６】
１              取付基板
２              球入口
６ａ            可動翼片
６ｂ            可動翼片
９              箱枠
１１            球誘導部材
１１ａ          分割前部材
１１ｂ          分割中部材
１１ｃ          分割後部材
１２ａ          横軸
１２ｂ          横軸
１２ｃ          横軸
２１            動作抑制手段（規制凹欠部）
２７            抑制部材
２９            重錘
Ａ              可変入賞装置
Ｂ１            パチンコ球
Ｂ２            パチンコ球
【図１】
2011092339.tif 000003
【図２】
2011092339.tif 000004
【図３】
2011092339.tif 000005
【図４】
2011092339.tif 000006
【図５】
2011092339.tif 000007
【図６】
2011092339.tif 000008
【図７】
2011092339.tif 000009
【図８】
2011092339.tif 000010
【図９】
2011092339.tif 000011